(57)【要約】      （修正有）【課題】構造が簡単で操作し易く、プラスチック製ボトル、金属製缶、発泡スチロール材等のごみを容易に圧縮又は粉砕し、かつ徹底的に粉砕し得るごみ処理機を提供する。【解決手段】ごみ処理機は、筐体１、上部に設けられた投入口１０、下部に設けられた排出口６を備える。筐体１内部に２組以上のローラーセットを備える。１組のローラーセット１４，１４’は相対する２本のローラー１４，１４’から構成され、該ローラーセットは上下に平行に配列され、ローラーセットの相対する２本のローラーの間隔は投入口１０から排出口６に狭くなるように設定される。最下段のローラーセット１４，１４’は、ローラーの一端に相互に噛み合う駆動歯車５と従動歯車５’とを備え、該駆動歯車と出力歯車とが噛み合い、これらはモーター２と接続している。各ローラーの一端にスプロケット７，７’が備えら、２組以上のローラーセットの相対する２本のローラーの同一側に存在するローラーはチェーン９，９’で相互に接続されている。【選択図】図１
0003191190.tif 000002
【実用新案登録請求の範囲】
【請求項１】
筐体（１）と、筐体（１）の上部に設けられた投入口（１０）と、筐体（１）の下部に設けられた排出口（６）とを備え、かつ、前記筐体（１）の内部に２組以上のローラーセット（１４−１４’，１５−１５’，１６−１６’）を備え、ここで、１組のローラーセットは、相対する２本のローラーから構成されており、各ローラーセットは、投入口（１０）から排出口（６）に向かって上下に略平行に配列され、かつ、各ローラーセットの相対する２本のローラーの間隔は、ローラーセットの配列に従い上段から下段に向かって順次狭くなるように設定されており、最下段のローラーセット（１４−１４’）は、夫々のローラーの一端に、相互に噛み合う駆動歯車（５）と従動歯車（５’）とを備え、前記駆動歯車（５）と、変速ボックス（３）に備えられた出力歯車（４）とが噛み合い、前記変速ボックス（３）とモーター（２）とが相互に接続し、かつ、前記２組以上のローラーセットの各ローラーの一端にスプロケット（７，７’）が備えられており、前記２組以上のローラーセットの相対する２本のローラーの同一側に存在するローラーは、該ローラー同士、前記スプロケット（７，７’）を介して、夫々、チェーン（９，９’）で相互に接続されている、ごみ処理機。
【請求項２】
前記の各ローラーの表面に、少なくとも２枚のブレード（１５）を備える、請求項１記載のごみ処理機。
【請求項３】
プラスチック製ボトル、金属製缶、発泡スチロール、その他のリサイクルごみを処理するための、請求項１又は２記載のごみ処理機。
【考案の詳細な説明】
【技術分野】
【０００１】
本考案は、ごみ処理機に関し、更に詳しくは、例えば、プラスチック製ボトル、金属製缶、発泡スチロール等のリサイクル可能なごみ、いわゆるリサイクルごみに有用なごみ処理機に関する。
【背景技術】
【０００２】
近年、茶、水、酒、ビール、ジュース、コーヒー等の飲料用としては、ＰＥＴボトル等のプラスチック製ボトル、又は、アルミニウム缶、スチール缶等の金属製缶が多く使用されている。また、荷物の梱包用等としては、発泡スチロール材が使用されることが多い。従来、これらの使用済みのプラスチック製ボトル及び金属製缶、並びに、発泡スチロール材等は回収されて、埋め立てられ、又は、焼却処理されていた。しかし、このような処理方法では、土壌汚染、大気汚染等の二次汚染を引き起こすことがあった。そこで、近年では、これらを使用した各個人の負担により、夫々、分別、回収して再利用することが盛んに行われている。しかし、このような再利用の方法であっても十分に処理できない場合もあり、また、再利用に際しても、一端、粉砕、溶融処理等が必要な場合も多い。
【考案の概要】
【考案が解決しようとする課題】
【０００３】
本考案は、構造が簡単で操作し易く、プラスチック製ボトル、金属製缶、発泡スチロール材等の滑りやすいごみを容易に圧縮又は粉砕し、かつ、徹底的に粉砕し得るごみ処理機を提供するものである。
【課題を解決するための手段】
【０００４】
本考案者は、上記の課題を解決すべく鋭意検討を重ねた。その結果、下記の所定の構成を有するごみ処理機によれば、上記の課題を解決し得ることを見出し、本考案を完成するに至った。
【０００５】
即ち、本考案は、
（１）筐体（１）と、筐体（１）の上部に設けられた投入口（１０）と、筐体（１）の下部に設けられた排出口（６）とを備え、かつ、前記筐体（１）の内部に２組以上のローラーセット（１４−１４’，１５−１５’，１６−１６’）を備え、ここで、１組のローラーセットは、相対する２本のローラーから構成されており、各ローラーセットは、投入口（１０）から排出口（６）に向かって上下に略平行に配列され、かつ、各ローラーセットの相対する２本のローラーの間隔は、ローラーセットの配列に従い上段から下段に向かって順次狭くなるように設定されており、最下段のローラーセット（１４−１４’）は、夫々のローラーの一端に、相互に噛み合う駆動歯車（５）と従動歯車（５’）とを備え、前記駆動歯車（５）と、変速ボックス（３）に備えられた出力歯車（４）とが噛み合い、前記変速ボックス（３）とモーター（２）とが相互に接続し、かつ、前記２組以上のローラーセットの各ローラーの一端にスプロケット（７，７’）が備えられており、前記２組以上のローラーセットの相対する２本のローラーの同一側に存在するローラーは、該ローラー同士、前記スプロケット（７，７’）を介して、夫々、チェーン（９，９’）で相互に接続されている、ごみ処理機である。
【０００６】
好ましい態様として、
（２）前記の各ローラーの表面に、少なくとも２枚のブレード（１５）を備える、上記（１）記載のごみ処理機、
（３）各ローラーセットが、投入口（１０）から排出口（６）に向かって上下に略水平に配列されている、上記（１）又は（２）記載のごみ処理機、
（４）前記のローラーセットが、筐体（１）の内部に２〜５組備えられている、上記（１）〜（３）のいずれか一つに記載のごみ処理機、
（５）前記のローラーセットが、筐体（１）の内部に３組備えられている、上記（１）〜（３）のいずれか一つに記載のごみ処理機、
（６）前記の筐体（１）の内部に、モーター（２）と接続されている蓄電池（１３）及び電圧レギュレータ（１１）を備える、上記（１）〜（５）のいずれか一つに記載のごみ処理機、
（７）前記の筐体（１）の外部に、フック（１２）を備える、上記（１）〜（６）のいずれか一つに記載のごみ処理機、
（８）前記の投入口（１０）の近傍に、センサースイッチ（１７）を備える、上記（１）〜（７）のいずれか一つに記載のごみ処理機、
（９）プラスチック製ボトル、金属製缶、発泡スチロール、その他のリサイクルごみを処理するための、上記（１）〜（８）のいずれか一つに記載のごみ処理機、
（１０）プラスチック製ボトル、金属製缶、又は、発泡スチロールを処理するための、上記（１）〜（８）のいずれか一つに記載のごみ処理機
を挙げることができる。
【考案の効果】
【０００７】
本考案のごみ処理機は、２組以上のローラーセット、好ましくは、ブレード付きのローラー備えたローラーセットを採用し、かつ、各ローラーセットの相対する２本のローラーの間隔を、ローラーセットの配列に従い上段から下段に向かって順次狭くなるように設定したことにより、プラスチック製ボトル、金属製缶、発泡スチロール材等の滑りやすいごみを効果的かつ効率的に圧縮又は粉砕することができ、従って、これらのごみを容易に処理することができるばかりではなく、その構造が簡単であることから操作も容易である。
【図面の簡単な説明】
【０００８】
【図１】図１は、本考案のごみ処理機の一実施態様（ブレードなし）を示した概略図である。
【図２】図２は、本考案のごみ処理機の他の一実施態様（ブレードあり）を示した概略図である。
【考案を実施するための形態】
【０００９】
本考案のごみ処理機を、図１及び２に基づいて説明する。図１は、本考案のごみ処理機の一実施態様（ブレードなし）を示した概略図であり、図２は、本考案のごみ処理機の他の一実施態様（ブレードあり）を示した概略図である。本考案のごみ処理機は、筐体（１）と、筐体（１）の上部に設けられた投入口（１０）と、筐体（１）の下部に設けられた排出口（６）とを備える。ここで、ごみは投入口（１０）から投入されて処理されて排出口（６）から排出される。図１及び２において、排出口（６）は、最下段の１組のローラーセット（１４−１４’）の陰に隠れているが、その形状は略四角形であり、その長辺が最下段の１組のローラーセットの各ローラー（１４、１４’）の軸方向に略平行であり、かつ、その幅は、２本のローラー（１４、１４’）の間隔より通常大きく形成されている。
【００１０】
筐体（１）の内部に備えられているローラーセットの数は、２組以上であれば特に制限はない。該ローラーセットの数は、家庭用又は産業用等、ごみ処理機の用途、能力等に依存して決定され、好ましくは２〜５組、より好ましくは３組である。図１及び２に示した実施態様においては、筐体（１）の内部には、３組のローラーセット（１４−１４’，１５−１５’，１６−１６’）が備えられている。ここで、１組のローラーセットは、相対する２本のローラー（例えば、１４と１４’）から構成されている。相対する２本のローラーは、略同一の直径を有していることが好ましい。また、各ローラーセット相互間のローラーの直径は、略同一であっても異なっていてもよい。そして、各ローラーセットは、投入口（１０）から排出口（６）に向かって上下に略平行に配列されており、好ましくは、各ローラーセットは、水平に配列されている。また、各ローラーセットの相対する２本のローラーの間隔は、ローラーセットの配列に従い上段から下段に向かって順次狭くなるように設定されている。即ち、最上段の１組のローラーセット（１６−１６’）の相対する２本のローラーの間隔が最大となっており、最下段の１組のローラーセット（１４−１４’）の相対する２本のローラーの間隔が最少となっている。また、中段の１組のローラーセット（１５−１５’）の相対する２本のローラーの間隔は、最上段の１組のローラーセットの相対する２本のローラーの間隔と、最下段の１組のローラーセットの相対する２本のローラーの間隔との間の間隔を有する。従って、各ローラーセットをローラーの軸方向に垂直な面で切断した時の断面は、略Ｖ字形状である。投入口（１０）から投入されたごみは、このように配列された２組以上のローラーセットの、上記の略Ｖ字形状の断面を有する空間を排出口（６）に向かって上から下へと通過しながら圧縮、又は、裁断及び粉砕される。
【００１１】
最下段のローラーセット（１４−１４’）は、夫々のローラーの一端に駆動歯車（５）と従動歯車（５’）とを備えており、それらは相互に噛み合って連動するように構成されている。これらの駆動歯車（５）及び従動歯車（５’）の直径は、夫々のローラー（１４、１４’）の直径以上の寸法を有しており、これらの歯車の直径を適宜変更することにより、最下段のローラーセットのローラーの間隔を容易に変更することができる。また、駆動歯車（５）と、変速ボックス（３）に備えられた出力歯車（４）とが噛み合い、かつ、変速ボックス（３）とモーター（２）とが相互に接続している。一方、２組以上のローラーセット、図１及び２の実施態様では３組のローラーセットの各ローラーの一端にスプロケット（７，７’）が備えられており、２組以上のローラーセット、図１及び２の実施態様では３組のローラーセットの相対する２本のローラーのうち同一側に存在する、２本以上のローラー、図１及び２の実施態様では３本のローラーは、該ローラー同士、スプロケット（７，７’）を介して、夫々、チェーン（９，９’）で相互に接続されている。これにより、モーター（２）の回転が、変速ボックス（３）に備えられた出力歯車（４）を介して駆動歯車（５）及び従動歯車（５’）に伝達され、そして、駆動歯車（５）及び従動歯車（５’）の回転により、夫々のチェーン（９，９’）が回転されて各ローラーセットの夫々のローラーが回転される。ここで、モーター（２）の回転に必要な動力は、筐体（１）内に設けられた、モーター（２）と接続されている蓄電池（１３）及び電圧レギュレータ（１１）により供給される。また、投入口（１０）の近傍にはセンサースイッチ（１７）が備えられており、これにより、ごみを投入した際に自動的にモーター（２）を回転することができる。また、筐体（１）の外側には、筐体（１）の側面の両側に沿って略水平にフック（１２）が設けられている。該フック（１２）を、排出口（６）から排出される処理済のごみを受ける容器（図示せず）の縁に引っ掛けることにより、ごみを受ける容器中に、本考案のごみ処理機を設置することができる。
【００１２】
図１に示した、本考案のごみ処理機の実施態様においては、各ローラーセットの２本のローラーの表面はほぼ平坦である。使用目的により、凹凸を設けることもできる。一方、図２に示した実施態様においては、各ローラーセットの２本のローラーの表面には、少なくとも２枚のブレード（８）が備えられている。ブレード（８）の枚数は、処理するごみ等に依存して適宜変更することができる。前者の態様のごみ処理機においては、圧縮して処理するのに適したごみ、例えば、金属製缶等に好ましく使用され、後者の態様のごみ処理機においては、裁断、粉砕して処理するのに適したごみ、例えば、プラスチック製ボトル、発泡スチロール等に好ましく使用される。
【００１３】
本考案のごみ処理機の作動原理の概要を下記に述べる。使用者がごみをごみ処理機の投入口（１０）から投入すると、センサースイッチ（１７）がそれを感知してモーター（２）が起動される。それにより、モーター（２）に接続された変速ボックス（３）を介して出力歯車（４）が回転する。そして、出力歯車（４）は、順次、駆動歯車（５）及び従動歯車（５’）を回転させ、チェーン（９，９’）を介して各ローラーセットのローラーを回転させる。図１及び２から明らかなように、各ローラーセットの相対する２本のローラーは、夫々反対方向に回転される。このとき、投入口（１０）からプラスチック製ボトル、金属製缶、又は、発泡スチロール等を投入すると、これらのごみは上から下へと各ローラーセットを経由して処理される。上から下へと配列された各ローラーセットの相対する２本のローラーの間隔は次第に狭くなるため、これにより、投入されたごみは次第に圧縮又は裁断、粉砕される。即ち、図１に示した実施態様のように、ローラー表面にブレードを備えていないときには、ローラーを経由するごみは圧縮される。一方、図２に示した実施態様のように、ローラー表面にブレード（８）を備えるときには、ローラーを経由するごみは裁断、粉砕される。このように処理されたごみは、排出口（６）から排出されて、ごみ受け容器（図示せず）、例えば、ごみ箱内に収納される。
【００１４】
上記のように、本考案のごみ処理機は、ローラー表面にブレードを備えていないもの及び備えているものがある。使用者は、これら両者を設置しておき、処理するごみの種類により、いずれが適切かを判断して使い分けることも可能である。
【００１５】
本考案のごみ処理機は、家庭用から産業用に至るまでの幅広い範囲で使用可能である。ごみ処理機の寸法は、家庭用か産業用か、又は、処理するごみの量等に依存して大きいものから小さいものまで適宜選定することができる。例えば、家庭用の最少寸法のものでは、筐体（１）の高さが３０ｃｍであり、各ローラーセットのローラーの直径が７ｃｍであり、最上段のローラーセットにおける２本のローラーの間隔が７ｃｍであり、中段のローラーセットにおける２本のローラーの間隔が４ｃｍであり、最下段のローラーセットにおける２本のローラーの間隔が２ｃｍであるものが考えられる。
【産業上の利用可能性】
【００１６】
本考案のごみ処理機は、プラスチック製ボトル、金属製缶、発泡スチロール材等の滑りやすいごみを効果的かつ効率的に圧縮又は粉砕することができ、従って、これらのごみを容易に処理することができるばかりではなく、その構造が簡単であることから操作も容易である。従って、家庭用から産業用に至るまでの幅広い範囲で、今後、ごみ処理機としての利用が大いに期待される。
【符号の説明】
【００１７】
１  筐体
２  モーター
３  変速ボックス
４  出力歯車
５  駆動歯車
５’  従動歯車
６  排出口
７，７’  スプロケット
８  ブレード
９，９’  チェーン
１０  投入口
１１  電圧レギュレータ
１２  フック
１３  蓄電池
１４，１４’  最下段の１組のローラーセット
１５，１５’  中段の１組のローラーセット
１６，１６’  最上段の１組のローラーセット
１７  センサースイッチ
【図１】
0003191190.tif 000003
【図２】
0003191190.tif 000004